(57)【特許請求の範囲】
【請求項１】
基地局として機能する無線装置と信号処理装置とを備える無線通信システムであって、
前記無線装置は、
端末装置から送信された無線信号に基づいて、前記無線装置と前記端末装置との間における無線伝送路のチャネル情報を推定するチャネル推定部と、
前記チャネル推定部により推定された前記チャネル情報に基づいて、前記無線信号に対して軟判定復調を行う復調部と、
前記無線信号の送信元である端末装置に応じて、前記軟判定復調により得られた対数尤度比の出力先を、前記対数尤度比を復号する復号部を介す第１経路と、前記復号部を介さない第２経路とのいずれかに切り替える信号切替部と、
前記第１経路又は前記第２経路から出力される信号を前記信号処理装置に送信する送信部と、
を備える無線通信システム。
【請求項２】
前記信号切替部は、前記無線信号の送信元である端末装置が基地局間連携の対象ではない場合には、前記端末装置から送信された無線信号から得られた対数尤度比の出力先を前記第１経路に切り替え、前記無線信号の送信元である端末装置が基地局間連携の対象である場合には、前記端末装置から送信された無線信号から得られた対数尤度比の出力先を前記第２経路に切り替える、請求項１に記載の無線通信システム。
【請求項３】
前記信号処理装置は、前記無線装置に帰属する端末装置が基地局間連携の対象であるか否か判定し、判定結果を前記無線装置に通知する通知部を備え、
前記信号切替部は、前記通知部から通知された前記判定結果に基づいて、前記無線信号の送信元である端末装置が基地局間連携の対象であるか否か判定する、請求項２に記載の無線通信システム。
【請求項４】
基地局として機能する無線装置と信号処理装置とを備える無線通信システムにおける無線通信方法であって、
前記無線装置が、端末装置から送信された無線信号に基づいて、前記無線装置と前記端末装置との間における無線伝送路のチャネル情報を推定するチャネル推定ステップと、
前記無線装置が、前記チャネル推定ステップにおいて推定された前記チャネル情報に基づいて、前記無線信号に対して軟判定復調を行う復調ステップと、
前記無線装置が、前記無線信号の送信元である端末装置に応じて、前記軟判定復調により得られた対数尤度比の出力先を、前記対数尤度比を復号する復号部を介す第１経路と、前記復号部を介さない第２経路とのいずれかに切り替える信号切替ステップと、
前記無線装置が、前記第１経路又は前記第２経路から出力される信号を前記信号処理装置に送信する送信ステップと、
を有する無線通信方法。
【発明の詳細な説明】
【技術分野】
【０００１】
本発明は、無線通信システム及び無線通信方法に関する。
本願は、２０１６年１１月１１日に日本へ出願された特願２０１６−２２０５１３号に基づき優先権を主張し、その内容をここに援用する。
【背景技術】
【０００２】
従来、無線通信システム、特に移動体通信システムにおいて、基地局設置の柔軟性を高めるため、基地局が有する機能をＢＢＵ（Base Band Unit）とＲＲＨ（Remote Radio Head）との２つの装置に分担させ、ＢＢＵとＲＲＨとを物理的に離れた構成とすることが検討されている。ＢＢＵとＲＲＨとにおける機能分割方式の一形態として、図３に示すように、ＭＡＣ（Media Access Control）層以上の機能と物理層の機能の一部である符号化の機能とをＢＢＵが行い、符号化機能以外の物理層の機能をＲＲＨが行う機能分割方式が検討されている（例えば、非特許文献１参照）。この機能分割方式は、ＳＰＰ（Split-PHY Processing）方式と呼ばれる。【０００３】
基地局や端末装置において受信した無線信号を復調する方式には、復調して得られた信号ビットを０又は１のビット値として出力するのではなく、信号ビットが０又は１である確からしさを示す尤度（Likelihood）と呼ばれる実数値の比として出力する軟判定復調方式がある（例えば、非特許文献２参照）。軟判定復調方式では、復調によって得られる出力は対数尤度比あるいはＬＬＲ（Log Likelihood Ratio）と呼ばれる。ＬＬＲの値は、一般に、正の大きい値であるほど信号ビットが１である可能性が高いことを示し、負の小さい値（絶対値が大きい値）であるほど信号ビットが０である可能性が高いことを示す。【０００４】
また、移動通信システムにおいて、１つのＲＲＨがカバーするエリアをセルと呼び、一般的に、隣接する複数のセル間においてそのカバーエリアはオーバラップしている。そのため、端末装置がセル端（セルエッジ）付近に位置している場合、端末装置と所望のＲＲＨとの間で送受信される無線信号と、隣接セルのＲＲＨと端末装置との間で送受信される無線信号とが干渉して無線伝送速度が著しく低下する現象が問題となる。このような問題を解決する手段として、例えば図４に示すように隣接するＲＲＨ同士がセル端近傍に位置する端末装置に対して互いに連携して通信を行うＣｏＭＰ(Coordinated Multi-Point transmission/reception)（基地局間連携）技術が検討されている（例えば、非特許文献３参照）。【０００５】
図４では、連携するＲＲＨの数が２台であるが、ＲＲＨの数は２台以上であればよい。将来の移動通信システムにおいては、ＲＲＨを高密度に設置し、端末装置がセル端に位置するか否かに関わらず複数の端末装置に対して複数のＲＲＨが常にＣｏＭＰを行うことでシステム容量を向上させることも検討されている。上りリンク（ＲＲＨからＢＢＵへ向かう方向）におけるＣｏＭＰ手法の１つとして、ＳＰＰの機能分割方式を適用した上で、各ＲＲＨで得られたＬＬＲをＢＢＵに送信し、ＢＢＵにおいて各ＲＲＨで得られたＬＬＲを合成する手法が検討されている。この手法では、ＢＢＵのＭＡＣ層機能によって、ＲＲＨと通信を行う端末装置がＣｏＭＰの対象であるか否かがＲＲＨに事前に通知される（例えば、非特許文献４参照）。【０００６】
図５は、従来のＳＰＰにおける上りリンクＬＬＲ合成の信号伝送を行う無線通信システム１０００のシステム構成例を示す図である。無線通信システム１０００は、端末装置９１、複数のＲＲＨ９２−１〜９２−２及びＢＢＵ９３を備える。ＲＲＨ９２−１及び９２−２は同様の構成を備えるため、ＲＲＨ９２−１を例に説明する。【０００７】
ＲＲＨ９２−１は、ＲＦ（Radio Frequency）受信部９２１−１と、チャネル推定部９２２−１と、復調部９２３−１とを備える。ＢＢＵ９３は、信号分離部９３１−１と、信号分離部９３１−２と、ＬＬＲ合成部９３２と、復号部９３３と、復号部９３４と、復号部９３５と、ＭＡＣ層機能部９３６とを備える。
ＲＦ受信部９２１−１は、端末装置９１から送信された信号を受信する。ＲＦ受信部９２１−１は、受信した信号のうち、参照信号をチャネル推定部９２２−１へ出力し、データ信号を復調部９２３−１へ出力する。参照信号は、無線伝送路のチャネル情報を抽出するための信号であり、端末装置とＲＲＨとの間において既知の信号を含む信号である。データ信号は、ＢＢＵへ送るべき信号であって信号ビットの系列を含む信号である。【０００８】
チャネル推定部９２２−１は、ＲＦ受信部９２１−１から出力された参照信号に基づいて、無線伝送路のチャネル情報の推定及び受信品質の測定を行う。チャネル推定部９２２−１は、チャネル情報の推定結果及び受信品質の測定結果を復調部９２３−１へ出力する。復調部９２３−１は、チャネル推定部９２２−１から出力されたチャネル情報の推定結果と受信品質の測定結果を用いて、受信されたデータ信号に対して等化処理及び軟判定復調を行うことによってＬＬＲ値（軟判定値）を取得する。復調部９２３−１は、取得したＬＬＲ値（軟判定値）をＢＢＵ９３に送信する。【０００９】
ＢＢＵ９３の信号分離部９３１−１及び９３１−２は、ＭＡＣ層機能部９３６から通知されたＣｏＭＰの有無の情報に基づいて、ＣｏＭＰの対象である端末装置９１から送信された信号のＬＬＲ値をＬＬＲ合成部９３２に出力する。一方、信号分離部９３１−１は、ＣｏＭＰの対象ではない端末装置９１から送信された信号のＬＬＲ値を復号部９３３に出力し、信号分離部９３１−２は、ＣｏＭＰの対象ではない端末装置９１から送信された信号のＬＬＲ値を復号部９３４に出力する。ここで、ＣｏＭＰの有無の情報とは、各ＲＲＨ９２に属している端末装置９１がＣｏＭＰの対象か否かを通知するフラグである。フラグの値は例えば０か１で表され、フラグの値が０であれば端末装置９１がＣｏＭＰの対象ではないことを表し、フラグの値が１であれば端末装置９１がＣｏＭＰの対象であることを表す。【００１０】
ＬＬＲ合成部９３２は、信号分離部９３１−１及び９３１−２から出力されたＬＬＲ値を合成し、合成したＬＬＲ値を復号部９３５に出力する。
復号部９３３は、信号分離部９３１−１から出力されたＬＬＲ値に対して復号処理を行うことで信号ビットデータ(硬判定値)を復元する。復号部９３３は、復元した信号ビットデータをＭＡＣ層機能部９３６に出力する。【００１１】
復号部９３４は、信号分離部９３１−２から出力されたＬＬＲ値に対して復号処理を行うことで信号ビットデータ(硬判定値)を復元する。復号部９３４は、復元した信号ビットデータをＭＡＣ層機能部９３６に出力する。
復号部９３５は、ＬＬＲ合成部９３２から出力された合成後のＬＬＲ値に対して復号処理を行うことで信号ビットデータ(硬判定値)を復元する。復号部９３５は、復元した信号ビットデータをＭＡＣ層機能部９３６に出力する。【００１２】
ＭＡＣ層機能部９３６は、復号部９３３、復号部９３４及び復号部９３５から出力された信号ビットデータを上位層に出力する。また、ＭＡＣ層機能部９３６は、端末装置９１から送信された信号に基づいて、信号の送信元である端末装置９１がＣｏＭＰの対象であるか否か判定する。具体的には、ＭＡＣ層機能部９３６は、各ＲＲＨ９２−１〜９２−２の通信を監視し、ＲＲＨ９２−１及び９２−２のセル内に属する端末装置９１の受信電波強度が閾値未満である場合に、端末装置９１をＣｏＭＰの対象であると判定する。ＭＡＣ層機能部９３６は、ＣｏＭＰの対象の有無を示す情報をＲＲＨ９２−１及び９２−２と、信号分離部９３１−１及び９３１−２とに通知する。【００１３】
上記のように、ＳＰＰの基地局機能分割方式では、ＬＬＲ合成を用いたＣｏＭＰを用いて、より信頼性の高いＬＬＲ値を復号部９３５に入力して復号を行うことで、無線信号のビット誤りを低減し、無線伝送特性を改善することができる。
【先行技術文献】
【非特許文献】
【００１４】
【非特許文献１】宮本健司、外３名、「将来無線アクセスに向けた基地局機能分割方式の提案」、信学技報、CS2015-15、pp. 33-38、２０１５年７月
【非特許文献２】大槻知明、「情報通信の基礎と動向［III］  −誤り訂正符号−」、電子情報通信学会誌、Vol. 90、No. 7、pp. 549-555、２００７年７月
【非特許文献３】田岡秀和、外５名、「LTE-AdvancedにおけるMIMOおよびセル間協調送受信技術」、NTT DOCOMOテクニカル・ジャーナル，Vol. 18, No. 2, pp. 22-30
【非特許文献４】齋藤昭裕、外５名、「基地局協調伝送システムの開発」、Panasonic Technical Journal, Vol. 58, No. 4, pp. 20-25, ２０１３年１月
【発明の概要】
【発明が解決しようとする課題】
【００１５】
従来のＳＰＰにおける信号伝送では、ＲＲＨ９２からＢＢＵ９３に伝送される信号がＣｏＭＰの対象であるか否かに関わらず、ＲＲＨ９２からＢＢＵ９３に伝送される信号は全てＬＬＲ値(軟判定値)となる。ＬＬＲ値は、情報ビットのそれぞれ（１ビット）につき算出される実数値であり、ＬＬＲ値１つにつき数ビットで量子化を行う必要がある。そのため、ＲＲＨ９２とＢＢＵ９３との間では、情報ビットのビット数の量子化ビット数倍の伝送容量が必要となる。例えば、ＲＲＨ９２で１Ｇｂｐｓ（Giga bits per second）の無線信号を受信し、ＬＬＲ値の量子化ビット数が５ビットの場合、ＲＲＨ９２とＢＢＵ９３との間の伝送容量は５Ｇｂｐｓとなる。しかしながら、ＣｏＭＰの対象ではない信号はＬＬＲ値として伝送する必要はない。このように、従来のＳＰＰにおける信号伝送では、ＣｏＭＰの対象でない信号をＬＬＲ値で伝送するために、ＲＲＨ９２とＢＢＵ９３との間の伝送容量が不必要に増加してしまうという問題があった。【００１６】
上記事情に鑑み、本発明は、ＲＲＨとＢＢＵとの間の伝送容量を削減することができる技術の提供を目的としている。
【課題を解決するための手段】
【００１７】
本発明の一態様は、基地局として機能する無線装置と信号処理装置とを備える無線通信システムであって、前記無線装置は、端末装置から送信された無線信号に基づいて、前記無線装置と前記端末装置との間における無線伝送路のチャネル情報を推定するチャネル推定部と、前記チャネル推定部により推定された前記チャネル情報に基づいて、前記無線信号に対して軟判定復調を行う復調部と、前記無線信号の送信元である端末装置に応じて、前記軟判定復調により得られた対数尤度比の出力先を、前記対数尤度比を復号する復号部を介す第１経路と、前記復号部を介さない第２経路とのいずれかに切り替える信号切替部と、前記第１経路又は前記第２経路から出力される信号を前記信号処理装置に送信する送信部と、を備える無線通信システムである。【００１８】
上記の無線通信システムにおいて、前記信号切替部は、前記無線信号の送信元である端末装置が基地局間連携の対象ではない場合には、前記端末装置から送信された無線信号から得られた対数尤度比の出力先を前記第１経路に切り替え、前記無線信号の送信元である端末装置が基地局間連携の対象である場合には、前記端末装置から送信された無線信号から得られた対数尤度比の出力先を前記第２経路に切り替えてもよい。【００１９】
上記の無線通信システムにおいて、前記信号処理装置は、前記無線装置に帰属する端末装置が基地局間連携の対象であるか否か判定し、判定結果を前記無線装置に通知する通知部を備え、前記信号切替部は、前記通知部から通知された前記判定結果に基づいて、前記無線信号の送信元である端末装置が基地局間連携の対象であるか否か判定してもよい。【００２０】
本発明の一態様は、基地局として機能する無線装置と信号処理装置とを備える無線通信システムにおける無線通信方法であって、前記無線装置が、端末装置から送信された無線信号に基づいて、前記無線装置と前記端末装置との間における無線伝送路のチャネル情報を推定するチャネル推定ステップと、前記無線装置が、前記チャネル推定ステップにおいて推定された前記チャネル情報に基づいて、前記無線信号に対して軟判定復調を行う復調ステップと、前記無線装置が、前記無線信号の送信元である端末装置に応じて、前記軟判定復調により得られた対数尤度比の出力先を、前記対数尤度比を復号する復号部を介す第１経路と、前記復号部を介さない第２経路とのいずれかに切り替える信号切替ステップと、前記無線装置が、前記第１経路又は前記第２経路から出力される信号を前記信号処理装置に送信する送信ステップと、を有する無線通信方法である。
【発明の効果】
【００２１】
本発明により、ＲＲＨとＢＢＵとの間の伝送容量を削減することが可能となる。
【図面の簡単な説明】
【００２２】
【図１】第１の実施形態における無線通信システム１００のシステム構成を表す構成図である。
【図２】第２の実施形態における無線通信システム１００ａのシステム構成を表す構成図である。
【図３】ＳＰＰの機能分割方式の一例を示す図である。
【図４】ＣｏＭＰ技術を用いたシステム構成を示す図である。
【図５】従来のＳＰＰにおける上りリンクＬＬＲ合成の信号伝送を行う無線通信システムのシステム構成例を示す図である。
【発明を実施するための形態】
【００２３】
以下、本発明の実施形態を、図面を参照しながら説明する。
（第１の実施形態）
図１は、第１の実施形態における無線通信システム１００のシステム構成を表す構成図である。無線通信システム１００は、端末装置１０、複数のＲＲＨ（無線装置）２０−１〜２０−２及びＢＢＵ（信号処理装置）３０を備える。なお、以下の説明では、ＲＲＨ２０−１〜２０−２を特に区別しない場合にはＲＲＨ２０と記載する。ＲＲＨ２０及びＢＢＵ３０は、基地局として機能する。各ＲＲＨ２０−１〜２０−２とＢＢＵ３０とは、有線（例えば光ファイバ又は同軸線）にて通信可能に接続されている。ＲＲＨ２０−１及び２０−２は同様の構成を備えるため、ＲＲＨ２０−１を例に説明する。
【００２４】
ＲＲＨ２０は、ＲＦ受信部２０１−１と、チャネル推定部２０２−１と、復調部２０３−１と、信号切替部２０４−１と、復号部２０５−１と、信号多重部（送信部）２０６−１とを備える。
ＲＦ受信部２０１−１は、端末装置１０から送信された信号（無線信号）を受信する。ＲＦ受信部２０１−１は、受信した信号のうち、参照信号をチャネル推定部２０２−１へ出力し、データ信号を復調部２０３−１へ出力する。
【００２５】
チャネル推定部２０２−１は、ＲＦ受信部２０１−１から出力された参照信号を入力とする。チャネル推定部２０２−１は、入力した参照信号に基づいて、無線伝送路のチャネル情報の推定及び受信品質の測定を行う。チャネル推定部２０２−１は、チャネル情報の推定結果及び受信品質の測定結果を復調部２０３−１へ出力する。
復調部２０３−１は、ＲＦ受信部２０１−１から出力されたデータ信号と、チャネル推定部２０２−１から出力されたチャネル情報の推定結果及び受信品質の測定結果とを入力とする。復調部２０３−１は、入力したチャネル情報の推定結果及び受信品質の測定結果を用いて、入力したデータ信号に対して等化処理及び軟判定復調を行うことによってＬＬＲ値（軟判定値）を取得する。復調部２０３−１は、取得したＬＬＲ値（軟判定値）を信号切替部２０４−１に出力する。
【００２６】
信号切替部２０４−１は、ＢＢＵ３０から通知されたＣｏＭＰの有無の情報と、復調部２０３−１から出力されたＬＬＲ値とを入力とする。信号切替部２０４−１は、入力したＣｏＭＰの有無の情報に基づいて、ＬＬＲ値の出力先を切り替える。具体的には、信号切替部２０４−１は、ＣｏＭＰの対象ではない端末装置１０が送信した信号から得られたＬＬＲ値の出力先を復号部２０５−１に（すなわち、対数尤度比を復号する復号部を介す第１経路に）切り替え、ＣｏＭＰの対象である端末装置１０が送信した信号から得られたＬＬＲ値の出力先を信号多重部２０６−１に（すなわち、復号部を介さない第２経路に）切り替える。
【００２７】
復号部２０５−１は、信号切替部２０４−１から出力されたＬＬＲ値を入力とする。復号部２０５−１は、入力したＬＬＲ値に対して復号処理を行うことで信号ビットデータ(硬判定値)を復元する。復号部２０５−１は、復元した信号ビットデータを信号多重部２０６−１に出力する。
信号多重部２０６−１は、信号切替部２０４−１から出力されたＬＬＲ値と、復号部２０５−１から出力された信号ビットデータ(硬判定値)とを入力とする。信号多重部２０６−１は、入力したＬＬＲ値（軟判定値）と、信号ビットデータ(硬判定値)とを多重化することによって多重化信号を生成し、生成した多重化信号をＢＢＵ３０に送信する。なお、図１に示すように、端末装置１０の数が１台である場合、信号多重部２０６−１はＬＬＲ値（軟判定値）又は信号ビットデータ(硬判定値)のいずれかを含む多重化信号をＢＢＵ３０に送信する。
【００２８】
ＢＢＵ３０は、硬軟分離部３０１−１と、硬軟分離部３０１−２と、ＬＬＲ合成部３０２と、復号部３０３と、ＭＡＣ層機能部（通知部）３０４とを備える。
硬軟分離部３０１−１及び硬軟分離部３０１−２は、ＲＲＨ２０から送信された多重化信号を受信する。硬軟分離部３０１−１及び硬軟分離部３０１−２は、ＭＡＣ層機能部３０４から通知されたＣｏＭＰの有無の情報に基づいて、受信した多重化信号を信号ビットデータとＬＬＲ値とに分離する。硬軟分離部３０１−１及び硬軟分離部３０１−２は、信号ビットデータをＭＡＣ層機能部３０４に出力し、ＬＬＲ値をＬＬＲ合成部３０２に出力する。
【００２９】
ＬＬＲ合成部３０２は、硬軟分離部３０１−１及び硬軟分離部３０１−２から出力されたＬＬＲ値を入力とする。ＬＬＲ合成部３０２は、入力したＬＬＲ値を合成し、合成したＬＬＲ値を復号部３０３に出力する。
復号部３０３は、ＬＬＲ合成部３０２から出力された合成後のＬＬＲ値を入力とする。復号部３０３は、入力した合成後のＬＬＲ値に対して復号処理を行うことで信号ビットデータ(硬判定値)を復元する。復号部３０３は、復元した信号ビットデータをＭＡＣ層機能部３０４に出力する。
ＭＡＣ層機能部３０４は、端末装置１０から事前に送信された信号に基づいて、信号の送信元の端末装置１０がＣｏＭＰの対象であるか否かを判定する。端末装置１０がＣｏＭＰの対象であるか否かの判定は、既存の技術（例えば、上記非特許文献４を参照）が用いられる。ＭＡＣ層機能部３０４は、信号の送信元である端末装置１０がＣｏＭＰの対象であるか否かを示す情報を、信号の送信元である端末装置１０が帰属するＲＲＨ２０と、硬軟分離部３０１−１及び硬軟分離部３０１−２とに事前に通知する。
【００３０】
以上のように構成された無線通信システム１００によれば、ＲＲＨ２０が、自身のセルに属する端末装置１０がＣｏＭＰの対象であるか否かを示す通知をＢＢＵ３０から取得し、取得した通知に基づいてＣｏＭＰの対象ではない端末装置１０から送信された信号をＬＬＲ値ではなく信号ビットデータとしてＢＢＵ３０に伝送する。そのため、ＣｏＭＰの対象ではない端末装置１０から送信された信号についてはＬＬＲの量子化が必要なくなり、ＲＲＨ２０とＢＢＵ３０との間の伝送容量を削減することが可能になる。
【００３１】
＜変形例＞
本実施形態において、端末装置１０の数は複数台であってもよい。また、本実施形態において、ＲＲＨ２０の数は３台以上であってもよい。
ＲＲＨ２０とＢＢＵ３０との間の信号伝送に用いる信号変換には既存のインタフェースが用いられてもよいし、独自のインタフェースが用いられてもよい。また、各ＲＲＨ２０におけるＲＦ受信の後に、受信信号に対してＯＦＤＭ（Orthogonal Frequency Division Multiplexing）などのようなマルチキャリア信号の受信を行うための処理が行われてもよい。
【００３２】
（第２の実施形態）
図２は、第２の実施形態における無線通信システム１００ａのシステム構成を表す構成図である。無線通信システム１００ａは、端末装置１０ａ、複数のＲＲＨ２０ａ−１〜２０ａ−２及びＢＢＵ３０を備える。
第２の実施形態では、端末装置１０ａ及びＲＲＨ２０ａが複数のアンテナを備え、端末装置１０ａとＲＲＨ２０ａとの間でＭＩＭＯ（Multiple-Input Multiple-Output）伝送を行う。このように無線通信システム１００ａが構成される場合、各ＲＲＨ２０ａは、複数のＲＦ受信部２０１−１−１〜２０１−１−ｎ（ｎは２以上の整数）を備え、復調部２０３−１が行う処理には複数アンテナによる信号受信処理も含まれる。なお、チャネル推定部２０２−１、信号切替部２０４−１、復号部２０５−１及び信号多重部２０６−１の処理は、第１の実施形態と同様である。
【００３３】
以上のように構成された無線通信システム１００ａによれば、第１の実施形態と同様の効果を得ることができる。
また、無線通信システム１００ａによれば、ＭＩＭＯ伝送においても、ＲＲＨ２０ａとＢＢＵ３０との間の伝送容量を削減することが可能になる。
【００３４】
＜変形例＞
第２の実施形態は、第１の実施形態と同様に変形されてもよい。
【００３５】
前述した実施形態におけるＲＲＨ２０、ＲＲＨ２０ａ、ＢＢＵ３０の全て又は一部をコンピュータで実現するようにしてもよい。例えば、ＲＲＨ、ＢＢＵが有する構成要素それぞれを実現するためのプログラムをコンピュータ読み取り可能な記録媒体に記録して、この記録媒体に記録されたプログラムをコンピュータシステムに読み込ませ、実行することによって、ＲＲＨ、ＢＢＵを実現してもよい。なお、ここでいう「コンピュータシステム」とは、ＯＳ（Operating System）や周辺機器等のハードウェアを含むものとする。また、「コンピュータ読み取り可能な記録媒体」とは、フレキシブルディスク、光磁気ディスク、ＲＯＭ（Read Only Memory）、ＣＤ（Compact Disc）−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また、このプログラムは、前述した構成要素の一部を実現するためのものであってもよく、更に前述した構成要素をコンピュータシステムにすでに記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【００３６】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００３７】
本発明は、例えば、無線通信に利用可能である。本発明によれば、ＲＲＨとＢＢＵとの間の伝送容量を削減することが可能となる。
【符号の説明】
【００３８】
１０、１０ａ、９１…端末装置
２０、２０−１、２０−２、２０ａ、２０ａ−１、２０ａ−２、９２−１、９２−２…ＲＲＨ
３０、３０ａ、９３…ＢＢＵ
２０１−１、２０１−２、２０１−１−１〜２０１−１−ｎ、２０１−２−１〜２０１−２−ｎ、９２１−１、９２１−２…ＲＦ受信部
２０２−１、２０２−２、９２２−１、９２２−２…チャネル推定部
２０３−１、２０３−２、９２３−１、９２３−２…復調部
２０４−１、２０４−２…信号切替部
２０５−１、２０５−２…復号部
２０６−１、２０６−２…信号多重部
３０１−１、３０１−２…硬軟分離部
３０２…ＬＬＲ合成部
３０３…復号部
３０４…ＭＡＣ層機能部
９３１−１、９３１−２…信号分離部
９３２…ＬＬＲ合成部
９３３、９３４、９３５…復号部
９３６…ＭＡＣ層機能部
【図１】
0006571885.tif 000002
【図２】
0006571885.tif 000003
【図３】
0006571885.tif 000004
【図４】
0006571885.tif 000005
【図５】
0006571885.tif 000006